(57)【特許請求の範囲】
【請求項１】
複数の太陽電池モジュールを含む太陽電池アレイと、
前記太陽電池アレイからの電力を集電する集電部と、
前記集電部と接続され、前記太陽電池アレイからの第一の電力を第二の電力に変換する電力変換部を含む電力制御部と、
前記集電部と前記電力制御部とを接続する第１電気配線と、
前記太陽電池アレイからの第一の電力が供給される第１接続端子と、
前記電力変換部への前記太陽電池アレイからの出力を遮断する第１開閉部とを備え、
前記第１接続端子には、代替電力制御部が接続可能なことを特徴とする、太陽光発電システム。
【請求項２】
前記集電部および前記電力制御部は、それぞれ、前記第１電気配線が接続される第１端子を含み、
前記第１接続端子および前記第１開閉部は、それぞれ、前記集電部および前記電力制御部の少なくとも一方に設けられていることを特徴とする、請求項１に記載の太陽光発電システム。
【請求項３】
前記電力制御部は、前記第１接続端子、前記第１端子および前記第１開閉部を含むことを特徴とする、請求項２に記載の太陽光発電システム。
【請求項４】
前記電力制御部における前記第１端子は、前記第１接続端子と接続されており、
前記第１接続端子は、前記第１開閉部を介して、前記電力変換部と接続されていることを特徴とする、請求項３に記載の太陽光発電システム。
【請求項５】
前記集電部および前記電力制御部は、それぞれ、前記第１電気配線が接続される第１端子を含み、
前記第１端子が、前記第１接続端子を兼ねることを特徴とする、請求項１に記載の太陽光発電システム。
【請求項６】
前記集電部は、前記第１接続端子を含み、
前記電力制御部は、前記電力変換部への前記太陽電池アレイからの出力を遮断する前記第１開閉部を含むことを特徴とする、請求項１または２に記載の太陽光発電システム。
【請求項７】
前記集電部は、前記第１電気配線が接続される第１端子、前記第１接続端子および前記第１開閉部を含み、
前記第１接続端子が、前記第１開閉部を介して、前記第１端子と接続されていることを特徴とする、請求項１に記載の太陽光発電システム。
【請求項８】
前記第１接続端子が、前記集電部と前記電力制御部との間に設けられており、前記第１開閉部を介して、前記電力変換部と接続されていることを特徴とする、請求項１に記載の太陽光発電システム。
【請求項９】
前記第１開閉部は、前記太陽電池アレイからの第一の電力の供給先を、前記電力変換部または前記第１接続端子に切り替える切替スイッチからなることを特徴とする、請求項１に記載の太陽光発電システム。
【請求項１０】
前記電力制御部は、前記電力変換部の出力側に接続される出力端子としての第２端子を含み、
前記第２端子と接続される第２接続端子をさらに備え、
前記第２接続端子には、前記代替電力制御部が接続可能なことを特徴とする、請求項１〜９のいずれか１項に記載の太陽光発電システム。
【請求項１１】
前記電力制御部は、前記第２接続端子と、前記第２端子に接続される第２開閉部とを含み、
前記第２端子が、前記第２接続端子と接続されているとともに、前記第２接続端子が、前記第２開閉部を介して、前記電力変換部と接続されていることを特徴とする、請求項１０に記載の太陽光発電システム。
【請求項１２】
前記第１接続端子は、専用コネクタからなることを特徴とする、請求項１〜１１のいずれか１項に記載の太陽光発電システム。
【請求項１３】
前記代替電力制御部は、移動手段に搭載されていることを特徴とする、請求項１〜１２のいずれか１項に記載の太陽光発電システム。
【請求項１４】
請求項１〜１３のいずれか１項に記載の太陽光発電システムに用いられることを特徴とする、電力制御装置。
【請求項１５】
請求項１〜１３のいずれか１項に記載の太陽光発電システムに用いられることを特徴とする、集電装置。
【請求項１６】
複数の太陽電池モジュールからの第一の電力を第二の電力に変換する電力変換部を含む電力制御装置であって、
前記複数の太陽電池モジュールからの第一の電力が供給される第一接続端子と、
前記電力変換部への前記複数の太陽電池モジュールからの第一の電力を遮断する第一開閉部とを備え、
前記第１接続端子には、代替電力制御装置が接続可能なことを特徴とする電力制御装置。
【請求項１７】
複数の太陽電池モジュールからの電力が複数並列に入力される入力端子と、該入力端子の数よりも少ない数の出力端子と、前記出力端子への前記複数の太陽電池モジュールからの電力を遮断する第一開閉部とを備える集電装置であって、
前記出力端子と前記第一開閉部を介して接続される第一接続端子をさらに備え、
前記第１接続端子には、代替電力制御装置が接続可能なことを特徴とする集電装置。
【発明の詳細な説明】
【技術分野】
【０００１】
本発明は、太陽光発電システム、電力変換装置および集電箱に関する。
【背景技術】
【０００２】
近年、二酸化炭素を発生させない、環境にやさしい発電として太陽光発電が注目を受けている。それに伴い、太陽電池モジュールの価格下落が進み、家庭用の電力補助手段から、大規模な産業用の発電にも太陽光発電システムの用途が広がっている。さらに、近年では、太陽光発電所という用途にも太陽光発電システムが使われるようになってきている。
【０００３】
また、上記のような太陽光発電システムでは、太陽電池モジュールで発電された電力を家庭用の一般交流負荷などに供給するために、その直流電力を交流電力に変換する電力変換装置を備えている。
【０００４】
上記電力変換装置は、その用途によって異なる定格出力のものが用いられる。たとえば、一般家庭用の太陽光発電システムには、定格出力が３ｋＷ程度の電力変換装置が用いられる。なお、定格出力が３ｋＷ程度の電力変換装置としては、たとえば、特許文献１に記載のものが知られている。
【０００５】
これに対し、産業用には、たとえば、定格出力が１００ｋＷや２５０ｋＷの電力変換装置が用いられる。そして、太陽光発電システムの用途の広がりに伴い、定格出力が１００ｋＷや２５０ｋＷの電力変換装置も市場に出回るようになってきた。
【先行技術文献】
【特許文献】
【０００６】
【特許文献１】特開２００８−９２６２８号公報
【発明の概要】
【発明が解決しようとする課題】
【０００７】
太陽電池モジュールの寿命は一般に２０年以上と言われているが、周辺機器である電力変換装置の公称寿命は１０年程度である。このため、１０年を超えた場合に電力変換装置のメンテナンスが必要となることがある。すなわち、太陽光発電システムを構築した後、太陽電池モジュールの交換前に電力変換装置のメンテナンスの機会が訪れる可能性が高い。
【０００８】
ここで、一般家庭用の電力変換装置は、上記のように、３ｋＷ程度の定格出力であり、その重量も３０ｋｇ程度であるため、作業員二人ほどで移動可能である。このため、メンテナンスが大掛かりになる場合には、新たな電力変換装置と交換することも可能となる。
【０００９】
一方、太陽光発電所などの場合、電力品質を維持する必要があるため発電を極力止めないようにする必要がある。そのため、迅速な修理が必要となるが、修理に丸１日以上かかる場合も起こり得る。このような場合、一般家庭用と同様に、電力変換装置そのものを交換する手段も考えられる。
【００１０】
しかしながら、産業用や太陽光発電所用の電力変換装置は、上記のように、１００ｋＷや２５０ｋＷの定格出力で重量も１ｔ程度からそれ以上ある。このため、装置そのものの取り替えは非常に困難である。また、このような電力変換装置は、定格出力が大きいため、電力変換装置周辺のケーブルも１５０ｓｑ程度と太くなり、ケーブルの接続や取り外しの作業も物理的に困難を伴う。さらに、このケーブルは長期間にわたり直流電圧が印加されるため、経年劣化で取り外しが困難となる場合もある。
【００１１】
この発明は上記のような課題を解決するためになされたものであり、この発明の１つの目的は、メンテナンス性に優れた太陽光発電システム、その太陽光発電システムに用いられる電力変換装置および集電箱を提供することである。
【課題を解決するための手段】
【００１２】
上記目的を達成するために、この発明の第１の局面による太陽光発電システムは、複数の太陽電池モジュールを含む太陽電池アレイと、太陽電池アレイからの電力を集電する集電箱と、集電箱と接続され、太陽電池アレイからの直流電力を交流電力に変換する電力変換部を含む電力変換装置と、集電箱と電力変換装置とを接続する第１電気配線と、太陽電池アレイからの直流電力が供給される第１接続端子と、電力変換部への太陽電池アレイからの出力を遮断する第１開閉器とを備え、上記第１接続端子には、代替電力変換装置が接続される。
【００１３】
この第１の局面による太陽光発電システムでは、上記のように、第１開閉器を設けることによって、この第１開閉器を開状態にすることにより、電力変換部への太陽電池アレイからの出力を遮断することができる。また、第１接続端子を設けることによって、この第１接続端子に代替電力変換装置を接続することにより、太陽電池アレイからの直流電力の経路を、代替電力変換装置に切り替えることができる。すなわち、電力変換装置が担うべき電力変換を、代替電力変換装置に担わせることができる。これにより、太陽光発電システムにおける発電を止めることなく、電力変換装置のメンテナンス作業を行うことができる。
【００１４】
また、第１の局面では、上記のように構成することによって、集電箱と電力変換装置とを接続する第１電気配線を取り外すことなく、メンテナンス作業を行うことができる。
【００１５】
ここで、産業用や太陽光発電所用などの太陽光発電システムでは、定格出力の大きい電力変換装置が用いられる一方、このような定格出力の大きい電力変換装置は、重量も１トン程度からそれ以上となるため、装置そのものを取り替えることは非常に困難となる。しかしながら、第１の局面による太陽光発電システムでは、上記のように、装置そのものを取り替えることなく、また、集電箱と電力変換装置とを接続する第１電気配線を取り外すことなく、メンテナンス作業を行うことができるので、メンテナンス性を向上させることができる。
【００１６】
なお、上記第１の局面による太陽光発電システムは、産業用や太陽光発電所用として用いた場合に、特に、メンテナンス性を向上させることが可能であるが、一般家庭用として用いた場合でも、メンテナンス性を向上させることができる。
【００１７】
上記第１の局面による太陽光発電システムにおいて、集電箱および電力変換装置は、それぞれ、第１電気配線が接続される第１端子を含むように構成されているのが好ましく、第１接続端子および第１開閉器は、それぞれ、集電箱および電力変換装置の少なくとも一方に設けられているのが好ましい。
【００１８】
この場合において、好ましくは、電力変換装置は、第１接続端子、第１端子および第１開閉器を含む。このように構成すれば、容易に、太陽光発電システムのメンテナンス性を向上させることができる。
【００１９】
上記電力変換装置が第１接続端子、第１端子および第１開閉器を含む構成において、電力変換装置における第１端子は、第１接続端子と接続されており、第１接続端子は、第１開閉器を介して、電力変換部と接続されているのが好ましい。
【００２０】
上記第１の局面による太陽光発電システムにおいて、集電箱および電力変換装置を、それぞれ、第１電気配線が接続される第１端子を含むように構成することができる。この際、第１端子が、第１接続端子を兼ねるように構成されていてもよい。
【００２１】
上記第１の局面による太陽光発電システムにおいて、集電箱は、第１接続端子を含み、電力変換装置は、電力変換部への太陽電池アレイからの出力を遮断する第１開閉器を含むように構成されていてもよい。
【００２２】
上記第１の局面による太陽光発電システムにおいて、集電箱は、第１電気配線が接続される第１端子、第１接続端子および第１開閉器を含み、第１接続端子が、第１開閉器を介して、第１端子と接続された構成にすることもできる。
【００２３】
上記第１の局面による太陽光発電システムにおいて、第１接続端子が、集電箱と電力変換装置との間に設けられており、第１開閉器を介して、電力変換部と接続されていてもよい。
【００２４】
上記第１の局面による太陽光発電システムにおいて、第１開閉器は、太陽電池アレイからの直流電力の供給先を、電力変換部または第１接続端子に切り替える切替スイッチから構成することもできる。このように構成すれば、太陽電池アレイと電力変換部とが接続された状態では、第１接続端子には太陽電池アレイからの直流電力が供給されていない状態であるので、第１接続端子に代替電力変換装置を安全に接続することができる。そして、スイッチ部の切り替えにより、電力変換部への太陽電池アレイからの出力の遮断と、第１接続端子への直流電力の供給とを行うことができるので、電力変換装置が担うべき電力変換を、代替電力変換装置に担わせることができる。
【００２５】
上記第１の局面による太陽光発電システムにおいて、電力変換装置は、電力変換部の出力側に接続される交流出力端子としての第２端子を含むように構成されているのが好ましい。この場合、第１の局面による太陽光発電システムは、第２端子と接続される第２接続端子をさらに備えていればより好ましい。このように構成すれば、この第２接続端子にも代替電力変換装置を接続することにより、容易に、太陽光発電システムにおける発電を止めることなく、電力変換装置のメンテナンス作業を行うことができる。
【００２６】
この場合において、第２端子と接続される第２開閉器をさらに備えているのが好ましい。このように構成すれば、第２開閉器を開状態にすることにより、確実に、電力変換装置の電力変換部を、太陽電池アレイから電気的に切り離すことができる。これにより、より安全に、メンテナンス作業を行うことができる。
【００２７】
上記電力変換装置が第２端子を有する構成において、電力変換装置が、第２接続端子を含むように構成することもできる。この場合、第２端子が、第２接続端子を介して、電力変換部と接続されているのが好ましい。
【００２８】
上記電力変換装置が第２端子を有する構成において、電力変換装置が、第２接続端子と、第２端子に接続される第２開閉器とを含むように構成することができる。この場合、第２端子が、第２接続端子と接続されているとともに、第２接続端子が、第２開閉器を介して、電力変換部と接続されているのが好ましい。
【００２９】
上記電力変換装置が第２端子を有する構成において、第２端子に、交流電力を出力するための第２電気配線が接続されている場合、第２接続端子が、第２電気配線を介して、第２端子と接続されている構成とすることもできる。
【００３０】
この場合において、第２接続端子と電力変換部とを切り離し可能な第２開閉器をさらに備えているのが好ましい。
【００３１】
上記電力変換装置が第２端子を有する構成において、第２端子が、第２接続端子を兼ねるように構成されていてもよい。
【００３２】
上記第２接続端子を備えた構成において、好ましくは、第２接続端子は、専用コネクタからなる。このように構成すれば、容易に、安全性を高めることができる。
【００３３】
上記第１の局面による太陽光発電システムにおいて、好ましくは、第１接続端子は、専用コネクタからなる。このように構成すれば、容易に、安全性を高めることができる。なお、第１接続端子および第２接続端子の両方が、専用コネクタとなっていれば、より好ましい。
【００３４】
上記第１の局面による太陽光発電システムにおいて、代替電力変換装置は、移動手段に搭載されていてもよい。このように構成すれば、メンテナンスの必要な電力変換装置の近くに、代替電力変換装置を容易に配置することができる。なお、移動手段としては、たとえば、トラックなどの車両を用いることができる。
【００３５】
上記第１の局面による太陽光発電システムにおいて、代替電力変換装置は、電力変換装置の状態を診断する機能を有しているのが好ましい。
【００３６】
この発明の第２の局面による電力変換装置は、上記第１の局面による太陽光発電システムに用いられる電力変換装置である。
【００３７】
また、この発明の第３の局面による電力変換装置は、太陽電池アレイからの直流電力を交流電力に変換する電力変換部と、太陽電池アレイからの電力を集電する集電箱と接続するための電気配線が接続される第１端子と、電力変換部への太陽電池アレイからの出力を遮断する第１開閉器とを備えている。
【００３８】
この第３の局面では、電力変換装置を、上記のように構成することによって、メンテナンス性を向上させることができる。
【００３９】
上記第３の局面による電力変換装置において、好ましくは、電気配線と同電位となる第１接続端子をさらに備える。このように構成すれば、容易に、メンテナンス性を向上させることができる。
【００４０】
この場合において、第１端子は、第１接続端子と接続されており、第１接続端子は、第１開閉器を介して、電力変換部と接続されているのが好ましい。
【００４１】
上記第１接続端子を備えた構成において、第１接続端子は、専用コネクタから構成されているのが好ましい。
【００４２】
上記第３の局面による電力変換装置において、第１端子が、第１接続端子を兼ねるように構成されていてもよい。
【００４３】
上記第３の局面による電力変換装置において、電力変換部の出力側に接続される交流出力端子としての第２端子と、第２端子と同電位となる第２接続端子とをさらに備えているのが好ましい。
【００４４】
この場合において、第２端子は、第２接続端子を介して、電力変換部と接続された構成とすることができる。
【００４５】
上記第２端子および第２接続端子を備えた構成において、第２端子と電力変換部とを切り離し可能な第２開閉器をさらに備え、第２端子は、第２接続端子と接続されており、第２接続端子は、第２開閉器を介して、電力変換部と接続されていてもよい。
【００４６】
上記第２端子および第２接続端子を備えた構成において、第２接続端子は、専用コネクタから構成されているのが好ましい。
【００４７】
上記第２端子および第２接続端子を備えた構成において、第２端子が、第２接続端子を兼ねるように構成されていてもよい。
【００４８】
この発明の第４の局面による集電箱は、上記第１の局面による太陽光発電システムに用いられる集電箱である。
【００４９】
また、この発明の第５の局面による集電箱は、太陽電池アレイからの電力を集電する集電箱であって、電力変換装置と接続するための電気配線が接続される第１端子と、太陽電池アレイからの電力が供給される第１接続端子とを備えている。
【００５０】
この第５の局面では、集電箱を、上記のように構成することによって、太陽光発電システムにおける電力変換装置のメンテナンス性を向上させることができる。
【００５１】
上記第５の局面による集電箱において、好ましくは、電力変換装置への太陽電池アレイからの出力を遮断する第１開閉器をさらに備え、第１接続端子が、第１開閉器を介して、第１端子と接続されている。このように構成すれば、容易に、メンテナンス性を向上させることができる。
【００５２】
上記第５の局面による集電箱において、第１接続端子は、専用コネクタから構成されているのが好ましい。
【００５３】
上記第５の局面による集電箱において、第１端子が、第１接続端子を兼ねるように構成されていてもよい。
【発明の効果】
【００５４】
以上のように、本発明によれば、メンテナンス性に優れた太陽光発電システム、その太陽光発電システムに用いられる電力変換装置および集電箱を容易に得ることができる。
【図面の簡単な説明】
【００５５】
【図１】本発明の第１実施形態による太陽光発電システムの構成を説明するためのブロック図である。
【図２】本発明の第１実施形態による太陽光発電システムに用いられる電力変換装置の構成を説明するためのブロック図である。
【図３】本発明の第１実施形態による太陽光発電システムに用いられる電力変換装置の構成を説明するためのブロック図である。
【図４】本発明の第１実施形態による太陽光発電システムにおける電力変換装置のメンテナンス方法（メンテナンス時の作業手順）を説明するための概略図である。
【図５】本発明の第１実施形態による太陽光発電システムにおける電力変換装置のメンテナンス方法（メンテナンス時の作業手順）を説明するためのブロック図である。
【図６】本発明の第２実施形態による太陽光発電システムを説明するためのブロック図である。
【図７】本発明の第２実施形態による太陽光発電システムに用いられる電力変換装置のブロック図である。
【図８】本発明の第２実施形態による太陽光発電システムに用いられる集電箱のブロック図である。
【図９】本発明の第２実施形態による太陽光発電システムにおける電力変換装置のメンテナンス方法（メンテナンス時の作業手順）を説明するためのブロック図である。
【図１０】本発明の第３実施形態による太陽光発電システムを説明するためのブロック図である。
【図１１】本発明の第３実施形態による太陽光発電システムに用いられる電力変換装置のブロック図である。
【図１２】本発明の第３実施形態による太陽光発電システムに用いられる集電箱のブロック図である。
【図１３】本発明の第３実施形態による太陽光発電システムにおける電力変換装置のメンテナンス方法（メンテナンス時の作業手順）を説明するためのブロック図である。
【図１４】本発明の第４実施形態による太陽光発電システムを説明するためのブロック図である。
【図１５】本発明の第４実施形態による太陽光発電システムにおける電力変換装置のメンテナンス方法（メンテナンス時の作業手順）を説明するためのブロック図である。
【図１６】本発明の第５実施形態による太陽光発電システムを説明するためのブロック図である。
【図１７】本発明の第５実施形態による太陽光発電システムにおける電力変換装置のメンテナンス方法（メンテナンス時の作業手順）を説明するためのブロック図である。
【図１８】本発明の第６実施形態による太陽光発電システムを説明するためのブロック図である。
【図１９】本発明の第６実施形態による太陽光発電システムにおける電力変換装置のメンテナンス方法（メンテナンス時の作業手順）を説明するためのブロック図である。
【図２０】本発明の第７実施形態による太陽光発電システムを説明するためのブロック図である。
【図２１】本発明の第８実施形態による太陽光発電システムを説明するためのブロック図である。
【発明を実施するための形態】
【００５６】
以下、本発明を具体化した実施形態を図面に基づいて詳細に説明する。なお、以下の実施形態では、大規模太陽光発電所（メガソーラー）向けの太陽光発電システムの例について説明する。
【００５７】
（第１実施形態）
図１は、本発明の第１実施形態による太陽光発電システムの構成を説明するためのブロック図である。図２および図３は、本発明の第１実施形態による太陽光発電システムに用いられる電力変換装置の構成を説明するためのブロック図である。まず、図１〜図３を参照して、本発明の第１実施形態による太陽光発電システムについて説明する。
【００５８】
第１実施形態による太陽光発電システムは、図１に示すように、複数の太陽電池アレイ１０と、太陽電池アレイ１０からの配線を一つにまとめる接続箱２０と、接続箱２０からの配線を一つにまとめる集電箱５０と、太陽電池アレイ１０から出力される直流電力を交流電力に変換してその交流電力を出力する電力変換装置１００と、電力変換装置１００から出力された交流電力を昇圧する昇圧トランス１５０とを備えている。なお、昇圧トランス１５０で昇圧された交流電力は、変電所１６０に送られる。
【００５９】
太陽電池アレイ１０は、互いに電気的に接続された複数の太陽電池モジュールを含んで構成されている。これら複数の太陽電池モジュールは、それぞれ、光電変換素子である太陽電池セルが複数枚接続されることによって構成されている。
【００６０】
接続箱２０は、複数の太陽電池アレイ１０と接続されており、太陽電池アレイ１０からの出力を集電して、集電箱５０に出力する機能を有している。
【００６１】
集電箱５０は、複数の接続箱２０と接続されており、接続箱２０からの出力を集電して、電力変換装置１００に出力する機能を有している。この集電箱５０は、図２に示すように、ＤＣケーブル３０を介して、電力変換装置１００と接続されている。また、集電箱５０には、上記ＤＣケーブル３０が接続される接続端子５１が設けられている。
【００６２】
集電箱５０と電力変換装置１００とを接続するＤＣケーブル３０には、たとえば、１５０ｓｑ程度の太いケーブルが用いられている。
【００６３】
電力変換装置１００は、産業用または太陽光発電所用に使用される定格出力２５０ｋＷの電力変換装置からなる。定格出力２５０ｋＷの電力変換装置には、集電箱が１〜３個程度接続されるのが一般的であるため、第１実施形態では、電力変換装置１００は、３個の集電箱５０を接続することが可能に構成されているものとする。
【００６４】
また、電力変換装置１００は、図３に示すように、上記ＤＣケーブル３０が接続される接続端子１０１と、太陽電池アレイ１０（図１参照）からの直流電力を交流電力に変換するインバータからなる電力変換部１１０と、電力変換部１１０で変換された交流電力を出力するための交流出力端子１０２とを含んで構成されている。なお、ＤＣケーブル３０は、本発明の「第１電気配線」および「電気配線」の一例である。また、接続端子５１および１０１は、本発明の「第１端子」の一例であり、交流出力端子１０２は、本発明の「第２端子」の一例である。
【００６５】
また、図２および図３に示すように、上記電力変換装置１００には、３個の集電箱５０がＤＣケーブル３０を介して接続されている。このため、電力変換装置１００には、ＤＣケーブル３０が接続される上記接続端子１０１が３つ設けられている。一方、電力変換装置１００の交流出力端子１０２には、ＡＣケーブル４０が接続されており、このＡＣケーブル４０を介して、電力変換装置１００と昇圧トランス１５０とが互いに接続されている。なお、ＡＣケーブル４０は、本発明の「第２電気配線」の一例である。
【００６６】
また、上記接続箱２０の各々は、通常、１０枚以上の太陽電池アレイ１０を接続することが可能であり、上記集電箱５０の各々は、通常、１０個以上の接続箱を接続することが可能である。
【００６７】
ここで、第１実施形態では、上記電力変換装置１００は、電力変換部１１０への太陽電池アレイ１０からの出力を遮断する開閉器３１０と、電力変換部１１０と交流出力端子１０２とを切り離し可能な開閉器４１０と、メンテナンス用の接続端子３２０および４２０とをさらに備えている。なお、開閉器３１０および４１０は、それぞれ、本発明の「第１開閉器」および「第２開閉器」の一例であり、メンテナンス用の接続端子３２０および４２０は、それぞれ、本発明の「第１接続端子」および「第２接続端子」の一例である。
【００６８】
上記メンテナンス用の接続端子３２０および上記開閉器３１０は、ＤＣケーブル３０が接続される接続端子１０１と対応するように、３つずつ設けられており、上記メンテナンス用の接続端子４２０および上記開閉器４１０は、交流出力端子１０２と対応するように、１つ設けられている。
【００６９】
また、メンテナンス用の接続端子３２０は、それぞれ、接続端子１０１と電気的に接続されることによって、ＤＣケーブル３０と同電位となるように構成されている。さらに、メンテナンス用の３つの接続端子３２０は、それぞれ、上記開閉器３１０を介して、電力変換部１１０の入力側に接続されている。一方、メンテナンス用の接続端子４２０は、交流出力端子１０２と電気的に接続されているとともに、上記開閉器４１０を介して、電力変換部１１０の出力側に接続されている。
【００７０】
電力変換装置１００におけるメンテナンス用の接続端子３２０および４２０は、それぞれ、後述する代替電力変換装置と接続される。なお、上記接続端子３２０および４２０は、専用コネクタとなっているのが好ましく、専用のプラグとのみ接続可能な形状となっていればより好ましい。また、専用コネクタおよび専用プラグは、きっちりと絶縁されていて、端子に人が直接触れることができないように構成されていればより好ましい。
【００７１】
図４および図５は、本発明の第１実施形態による太陽光発電システムにおける電力変換装置のメンテナンス方法（メンテナンス時の作業手順）を説明するための図である。次に、図１、図４および図５を参照して、本発明の第１実施形態による太陽光発電システムにおける電力変換装置のメンテナンス時の作業手順（故障復旧方法）について説明する。
【００７２】
電力変換装置１００のメンテナンスが必要な状況になると、図４に示すように、たとえば、４トントラック（移動手段）７００に定格出力２５０ｋＷの代替電力変換装置２００を積んで発電所（メンテナンスが必要な電力変換装置１００の近く）に行く。なお、図５に示すように、代替電力変換装置２００には、ＤＣケーブル２３０が接続される接続端子２０１およびＡＣケーブル２４０が接続される交流出力端子２０２に加えて、電力変換部２１０への太陽電池アレイ１０（図１参照）からの出力を遮断する開閉器２５０、および、電力変換部２１０と交流出力端子２０２とを切り離し可能な開閉器２６０が設けられていてもよい。
【００７３】
次に、メンテナンスの必要な電力変換装置１００において、開閉器３１０および４１０をそれぞれ開状態にすることにより、太陽電池アレイ１０（図１参照）の出力を電力変換装置１００内部の電力変換部１１０から切り離す。
【００７４】
続いて、電力変換装置１００に設けられたメンテナンス用の接続端子３２０に、代替電力変換装置２００からのＤＣケーブル２３０を接続し、電力変換装置１００に設けられたメンテナンス用の接続端子４２０に、代替電力変換装置２００からのＡＣケーブル２４０を接続する。この際、上述したように、接続端子３２０は、代替電力変換装置２００からのＤＣケーブル２３０とのみ接続可能な専用コネクタとなっているのが好ましく、接続端子４２０は、代替電力変換装置２００からのＡＣケーブル２４０とのみ接続可能な専用コネクタとなっているのが好ましい。
【００７５】
これにより、メンテナンスを要する電力変換装置１００（電力変換部１１０）には電力が供給されなくなるため、メンテナンスを行うことが可能となる。一方、電力変換装置１００が担うべき電力変換は、代替電力変換装置２００が担うことになり、発電は継続される。なお、上記代替電力変換装置２００は、電力変換装置１００（電力変換部１１０）の状態を診断する機能を有しているのが好ましい。
【００７６】
電力変換装置１００のメンテナンス終了後、代替電力変換装置２００を切り離す。そして、電力変換装置１００の開閉器３１０および４１０を閉状態にすることにより、電力変換装置１００内の電力変換部１１０に電力を送り、電力変換を行う。
【００７７】
第１実施形態では、上記のように、電力変換装置１００に開閉器３１０および４１０を設けることによって、この開閉器３１０および４１０を開状態にすることにより、電力変換部１１０への太陽電池アレイ１０からの出力を遮断することができる。また、電力変換装置１００にメンテナンス用の接続端子３２０および４２０を設けることによって、この接続端子３２０および４２０に代替電力変換装置２００を接続することにより、太陽電池アレイ１０からの直流電力の経路を、代替電力変換装置２００に切り替えることができる。これにより、太陽光発電システムにおける発電を止めることなく、電力変換装置１００（電力変換部１１０）のメンテナンス作業を行うことができる。
【００７８】
また、第１実施形態では、上記のように構成することによって、集電箱５０と電力変換装置１００とを接続するＤＣケーブル３０を取り外さずに、メンテナンス作業を行うことができる。
【００７９】
（第２実施形態）
図６は、本発明の第２実施形態による太陽光発電システムを説明するためのブロック図である。図７は、本発明の第２実施形態による太陽光発電システムに用いられる電力変換装置のブロック図である。図８は、本発明の第２実施形態による太陽光発電システムに用いられる集電箱のブロック図である。次に、図６〜図８を参照して、本発明の第２実施形態による太陽光発電システムについて説明する。なお、第２実施形態では、定格出力１００ｋＷの電力変換装置を用いた場合について説明する。また、各図において、対応する構成要素には同一の符号を付すことにより、重複する説明は省略する。
【００８０】
この第２実施形態では、図６〜図８に示すように、電力変換部１１０への太陽電池アレイからの出力を遮断する開閉器３１０が、電力変換装置１００に設けられており、メンテナンス用の接続端子３２０が、集電箱５０に設けられている。すなわち、第２実施形態では、電力変換装置１００には、メンテナンス用の接続端子３２０が設けられておらず、メンテナンス用の接続端子３２０は、集電箱５０に設けられた構成となっている。
【００８１】
なお、定格出力１００ｋＷの電力変換装置には、集電箱が１個接続されるのが一般的であるため、第２実施形態では、電力変換装置１００は、１個の集電箱５０を接続することが可能に構成されているものとする。このため、上記電力変換装置１００には、ＤＣケーブル３０を介して、１個の集電箱５０が接続されている。また、集電箱５０には、上記ＤＣケーブル３０が接続される接続端子５１が１つ設けられており、電力変換装置１００には、上記ＤＣケーブル３０が接続される接続端子１０１が１つ設けられている。
【００８２】
また、図７に示すように、電力変換装置１００において、上記接続端子１０１は、開閉器３１０を介して、電力変換部１１０と接続されている。さらに、第２実施形態による電力変換装置１００は、上記第１実施形態と同様、交流出力端子１０２、電力変換部１１０と交流出力端子１０２とを切り離し可能な開閉器４１０、および、メンテナンス用の接続端子４２０をも備えた構成となっている。なお、交流出力端子１０２は、メンテナンス用の接続端子４２０と電気的に接続された状態となっており、メンテナンス用の接続端子４２０は、上記開閉器４１０を介して、電力変換部１１０の出力側に接続されている。
【００８３】
一方、集電箱５０に設けられたメンテナンス用の接続端子３２０は、図８に示すように、接続端子５１と電気的に接続されており、これによって、メンテナンス用の接続端子３２０は、ＤＣケーブル３０と同電位となっている。また、上記集電箱５０には、複数の接続箱２０（図１参照）を接続するための接続端子５２が設けられており、メンテナンス用の接続端子３２０を介して、接続端子５１と接続端子５２とが接続されている。
【００８４】
図９は、本発明の第２実施形態による太陽光発電システムにおける電力変換装置のメンテナンス方法（メンテナンス時の作業手順）を説明するためのブロック図である。次に、図４および図９を参照して、本発明の第２実施形態による太陽光発電システムにおける電力変換装置のメンテナンス時の作業手順について説明する。
【００８５】
電力変換装置１００のメンテナンスが必要な状況になると、図４に示したように、たとえば、４トントラック７００に定格出力２５０ｋＷの代替電力変換装置２００を積んで発電所に行く。なお、上記代替電力変換装置２００に代えて、定格出力１００ｋＷの代替電力変換装置を用いるようにしてもよい。
【００８６】
次に、図９に示すように、メンテナンスの必要な電力変換装置１００において、開閉器３１０および４１０をそれぞれ開状態にすることにより、太陽電池アレイの出力を電力変換装置１００内部の電力変換部１１０から切り離す。
【００８７】
続いて、集電箱５０に設けられたメンテナンス用の接続端子３２０に、代替電力変換装置２００からのＤＣケーブル２３０を接続し、電力変換装置１００に設けられたメンテナンス用の接続端子４２０に、代替電力変換装置２００からのＡＣケーブル２４０を接続する。
【００８８】
これにより、メンテナンスを要する電力変換装置１００（電力変換部１１０）には電力が供給されなくなるため、メンテナンスを行うことが可能となる。一方、電力変換装置１００が担うべき電力変換は、代替電力変換装置２００が担うことになり、発電は継続される。
【００８９】
電力変換装置１００のメンテナンス終了後、代替電力変換装置２００を切り離す。そして、電力変換装置１００の開閉器３１０および４１０を閉状態にすることにより、電力変換装置１００内の電力変換部１１０に電力を送り、電力変換を行う。
【００９０】
なお、第２実施形態の効果は、上記第１実施形態と同様である。
【００９１】
（第３実施形態）
図１０は、本発明の第３実施形態による太陽光発電システムを説明するためのブロック図である。図１１は、本発明の第３実施形態による太陽光発電システムに用いられる電力変換装置のブロック図である。図１２は、本発明の第３実施形態による太陽光発電システムに用いられる集電箱のブロック図である。次に、図１０〜図１２を参照して、本発明の第３実施形態による太陽光発電システムについて説明する。なお、第３実施形態では、上記第２実施形態と同様、定格出力１００ｋＷの電力変換装置を用いた場合について説明する。また、各図において、対応する構成要素には同一の符号を付すことにより、重複する説明は省略する。
【００９２】
この第３実施形態では、図１０〜図１２に示すように、電力変換部１１０への太陽電池アレイからの出力を遮断する開閉器３１０、および、メンテナンス用の接続端子３２０が、集電箱５０に設けられている。すなわち、第３実施形態では、電力変換装置１００に、メンテナンス用の接続端子３２０、および、上記開閉器３１０が設けられていない構成となっている。
【００９３】
なお、第３実施形態による電力変換装置１００は、上記第１および第２実施形態と同様、交流出力端子１０２、電力変換部１１０と交流出力端子１０２とを切り離し可能な開閉器４１０、および、メンテナンス用の接続端子４２０をも備えた構成となっている。
【００９４】
一方、図１２に示すように、上記集電箱５０において、開閉器３１０は、メンテナンス用の接続端子３２０とＤＣケーブル３０が接続される接続端子５１との間に配設されている。すなわち、メンテナンス用の接続端子３２０は、開閉器３１０を介して、ＤＣケーブル３０が接続される接続端子５１と接続されている。
【００９５】
図１３は、本発明の第３実施形態による太陽光発電システムにおける電力変換装置のメンテナンス方法（メンテナンス時の作業手順）を説明するためのブロック図である。次に、図４および図１３を参照して、本発明の第３実施形態による太陽光発電システムにおける電力変換装置のメンテナンス時の作業手順について説明する。
【００９６】
電力変換装置１００のメンテナンスが必要な状況になると、図４に示したように、たとえば、４トントラック７００に定格出力２５０ｋＷの代替電力変換装置２００を積んで発電所に行く。なお、上記代替電力変換装置２００に代えて、定格出力１００ｋＷの代替電力変換装置を用いるようにしてもよい。
【００９７】
次に、図１３に示すように、集電箱５０の開閉器３１０を開状態にするとともに、メンテナンスの必要な電力変換装置１００の開閉器４１０を開状態にすることにより、太陽電池アレイの出力を電力変換装置１００内部の電力変換部１１０から切り離す。
【００９８】
続いて、集電箱５０に設けられたメンテナンス用の接続端子３２０に、代替電力変換装置２００からのＤＣケーブル２３０を接続し、電力変換装置１００に設けられたメンテナンス用の接続端子４２０に、代替電力変換装置２００からのＡＣケーブル２４０を接続する。
【００９９】
これにより、メンテナンスを要する電力変換装置１００（電力変換部１１０）には電力が供給されなくなるため、メンテナンスを行うことが可能となる。一方、電力変換装置１００が担うべき電力変換は、代替電力変換装置２００が担うことになり、発電は継続される。
【０１００】
電力変換装置１００のメンテナンス終了後、代替電力変換装置２００を切り離す。そして、集電箱５０の開閉器３１０および電力変換装置１００の開閉器４１０をそれぞれ閉状態にすることにより、電力変換装置１００内の電力変換部１１０に電力を送り、電力変換を行う。
【０１０１】
なお、第３実施形態の効果は、上記第１実施形態と同様である。
【０１０２】
（第４実施形態）
図１４は、本発明の第４実施形態による太陽光発電システムを説明するためのブロック図である。次に、図１４を参照して、本発明の第４実施形態による太陽光発電システムについて説明する。なお、第４実施形態では、上記第２および第３実施形態と同様、定格出力１００ｋＷの電力変換装置を用いた場合について説明する。また、各図において、対応する構成要素には同一の符号を付すことにより、重複する説明は省略する。
【０１０３】
この第４実施形態では、図１４に示すように、集電箱５０と電力変換装置１００との間に、メンテナンス用の接続端子３２０を備えた第１端子箱３５０が接続されている。この第１端子箱３５０には、上記接続端子３２０とともに、電力変換部１１０への太陽電池アレイからの出力を遮断する開閉器３１０が設けられている。また、上記第１端子箱３５０において、メンテナンス用の接続端子３２０は、開閉器３１０を介して、電力変換装置１００の電力変換部１１０と接続されている。
【０１０４】
また、第４実施形態では、電力変換装置１００と昇圧トランス１５０との間にも、上記第１端子箱３５０と同様の接続箱（第２端子箱４５０）が接続されている。この第２端子箱４５０には、メンテナンス用の接続端子４２０および開閉器４１０が設けられている。また、上記第２端子箱４５０において、メンテナンス用の接続端子４２０は、開閉器４１０を介して、電力変換装置１００の電力変換部１１０と接続されている。
【０１０５】
なお、この第４実施形態では、電力変換装置１００および集電箱５０のいずれにも、メンテナンス用の接続端子および開閉器が設けられていない構成となっている。
【０１０６】
図１５は、本発明の第４実施形態による太陽光発電システムにおける電力変換装置のメンテナンス方法（メンテナンス時の作業手順）を説明するためのブロック図である。次に、図４および図１５を参照して、本発明の第４実施形態による太陽光発電システムにおける電力変換装置のメンテナンス時の作業手順について説明する。
【０１０７】
電力変換装置１００のメンテナンスが必要な状況になると、図４に示したように、たとえば、４トントラック７００に定格出力２５０ｋＷの代替電力変換装置２００を積んで発電所に行く。なお、上記代替電力変換装置２００に代えて、定格出力１００ｋＷの代替電力変換装置を用いるようにしてもよい。
【０１０８】
次に、図１５に示すように、第１端子箱３５０の開閉器３１０および第２端子箱４５０の開閉器４１０をそれぞれ開状態にすることにより、太陽電池アレイの出力を電力変換装置１００内部の電力変換部１１０から切り離す。
【０１０９】
続いて、第１端子箱３５０に設けられたメンテナンス用の接続端子３２０に、代替電力変換装置２００からのＤＣケーブル２３０を接続し、第２端子箱４５０に設けられたメンテナンス用の接続端子４２０に、代替電力変換装置２００からのＡＣケーブル２４０を接続する。
【０１１０】
これにより、メンテナンスを要する電力変換装置１００（電力変換部１１０）には電力が供給されなくなるため、メンテナンスを行うことが可能となる。一方、電力変換装置１００が担うべき電力変換は、代替電力変換装置２００が担うことになり、発電は継続される。
【０１１１】
電力変換装置１００のメンテナンス終了後、代替電力変換装置２００を切り離す。そして、第１端子箱３５０の開閉器３１０および第２端子箱４５０の開閉器４１０をそれぞれ閉状態にすることにより、電力変換装置１００内の電力変換部１１０に電力を送り、電力変換を行う。
【０１１２】
なお、第４実施形態の効果は、上記第１実施形態と同様である。
【０１１３】
（第５実施形態）
図１６は、本発明の第５実施形態による太陽光発電システムを説明するためのブロック図である。次に、図１６を参照して、本発明の第５実施形態による太陽光発電システムについて説明する。なお、第５実施形態では、上記第２〜第４実施形態と同様、定格出力１００ｋＷの電力変換装置を用いた場合について説明する。また、各図において、対応する構成要素には同一の符号を付すことにより、重複する説明は省略する。
【０１１４】
この第５実施形態による太陽光発電システムでは、図１６に示すように、電力変換装置１００から出力された交流電力を昇圧する昇圧トランス１５０に、メンテナンス用の接続端子４２０および開閉器４１０が設けられている。また、上記開閉器４１０は、電力変換部１１０とメンテナンス用の接続端子４２０とを切り離し可能とするために、電力変換部１１０とメンテナンス用の接続端子４２０との間に配されている。
【０１１５】
なお、この第５実施形態では、電力変換装置１００の出力側に接続される昇圧トランス１５０に、開閉器４１０およびメンテナンス用の接続端子４２０を設けているため、上記第１〜第３実施形態とは異なり、電力変換装置１００における電力変換部１１０と交流出力端子１０２との間には、開閉器およびメンテナンス用の接続端子が設けられていない構成となっている。
【０１１６】
図１７は、本発明の第５実施形態による太陽光発電システムにおける電力変換装置のメンテナンス方法（メンテナンス時の作業手順）を説明するためのブロック図である。次に、図４および図１７を参照して、本発明の第５実施形態による太陽光発電システムにおける電力変換装置のメンテナンス時の作業手順について説明する。
【０１１７】
電力変換装置１００のメンテナンスが必要な状況になると、図４に示したように、たとえば、４トントラック７００に定格出力２５０ｋＷの代替電力変換装置２００を積んで発電所に行く。なお、上記代替電力変換装置２００に代えて、定格出力１００ｋＷの代替電力変換装置を用いるようにしてもよい。
【０１１８】
次に、図１７に示すように、メンテナンスの必要な電力変換装置１００の開閉器３１０を開状態にするとともに、昇圧トランス１５０の開閉器４１０を開状態にすることにより、太陽電池アレイの出力を電力変換装置１００内部の電力変換部１１０から切り離す。
【０１１９】
続いて、電力変換装置１００に設けられたメンテナンス用の接続端子３２０に、代替電力変換装置２００からのＤＣケーブル２３０を接続し、昇圧トランス１５０に設けられたメンテナンス用の接続端子４２０に、代替電力変換装置２００からのＡＣケーブル２４０を接続する。
【０１２０】
これにより、メンテナンスを要する電力変換装置１００（電力変換部１１０）には電力が供給されなくなるため、メンテナンスを行うことが可能となる。一方、電力変換装置１００が担うべき電力変換は、代替電力変換装置２００が担うことになり、発電は継続される。
【０１２１】
電力変換装置１００のメンテナンス終了後、代替電力変換装置２００を切り離す。そして、電力変換装置１００の開閉器３１０および昇圧トランス１５０の開閉器４１０をそれぞれ閉状態にすることにより、電力変換装置１００内の電力変換部１１０に電力を送り、電力変換を行う。
【０１２２】
なお、第５実施形態の効果は、上記第１実施形態と同様である。
【０１２３】
（第６実施形態）
図１８は、本発明の第６実施形態による太陽光発電システムを説明するためのブロック図である。次に、図１８を参照して、本発明の第６実施形態による太陽光発電システムについて説明する。なお、第６実施形態では、上記第２〜第５実施形態と同様、定格出力１００ｋＷの電力変換装置を用いた場合について説明する。また、各図において、対応する構成要素には同一の符号を付すことにより、重複する説明は省略する。
【０１２４】
この第６実施形態では、図１８に示すように、電力変換装置１００において、ＤＣケーブル３０が接続される接続端子１０１およびＡＣケーブル４０が接続される接続端子（交流出力端子１０２）が、それぞれ、メンテナンス用の接続端子３２０および４２０を兼ねている。
【０１２５】
また、上記電力変換装置１００には、電力変換部１１０への太陽電池アレイからの出力を遮断する開閉器３１０、および、電力変換部１１０と交流出力端子１０２とを切り離し可能な開閉器４１０が設けられている。これにより、上記開閉器３１０および４１０を開状態にすることにより、太陽電池アレイの出力を電力変換装置１００内部の電力変換部１１０から切り離すことが可能となる。
【０１２６】
図１９は、本発明の第６実施形態による太陽光発電システムにおける電力変換装置のメンテナンス方法（メンテナンス時の作業手順）を説明するためのブロック図である。次に、図４および図１９を参照して、本発明の第６実施形態による太陽光発電システムにおける電力変換装置のメンテナンス時の作業手順について説明する。
【０１２７】
電力変換装置１００のメンテナンスが必要な状況になると、図４に示したように、たとえば、４トントラック７００に定格出力２５０ｋＷの代替電力変換装置２００を積んで発電所に行く。なお、上記代替電力変換装置２００に代えて、定格出力１００ｋＷの代替電力変換装置を用いるようにしてもよい。
【０１２８】
次に、図１９に示すように、メンテナンスの必要な電力変換装置１００の開閉器３１０および４１０を開状態にすることにより、太陽電池アレイの出力を電力変換装置１００内部の電力変換部１１０から切り離す。
【０１２９】
続いて、電力変換装置１００に設けられた接続端子１０１（３２０）に、代替電力変換装置２００からのＤＣケーブル２３０を接続し、電力変換装置１００に設けられた交流出力端子１０２（４２０）に、代替電力変換装置２００からのＡＣケーブル２４０を接続する。
【０１３０】
これにより、メンテナンスを要する電力変換装置１００（電力変換部１１０）には電力が供給されなくなるため、メンテナンスを行うことが可能となる。一方、電力変換装置１００が担うべき電力変換は、代替電力変換装置２００が担うことになり、発電は継続される。
【０１３１】
電力変換装置１００のメンテナンス終了後、代替電力変換装置２００を切り離す。そして、電力変換装置１００の開閉器３１０および４１０をそれぞれ閉状態にすることにより、電力変換装置１００内の電力変換部１１０に電力を送り、電力変換を行う。
【０１３２】
なお、第６実施形態の効果は、上記第１実施形態と同様である。
【０１３３】
（第７実施形態）
図２０は、本発明の第７実施形態による太陽光発電システムを説明するためのブロック図である。次に、図２０を参照して、本発明の第７実施形態による太陽光発電システムについて説明する。なお、第７実施形態では、上記第２〜第６実施形態と同様、定格出力１００ｋＷの電力変換装置を用いた場合について説明する。また、各図において、対応する構成要素には同一の符号を付すことにより、重複する説明は省略する。
【０１３４】
この第７実施形態では、図２０に示すように、上記第６実施形態の構成において、集電箱５０の接続端子５１が、メンテナンス用の接続端子３２０を兼ねている。そのため、電力変換装置１００のメンテナンス時には、代替電力変換装置２００からのＤＣケーブル２３０が、集電箱５０の接続端子５１（３２０）に接続される。
【０１３５】
第７実施形態の効果は、上記第１および第６実施形態と同様である。
【０１３６】
（第８実施形態）
図２１は、本発明の第８実施形態による太陽光発電システムを説明するためのブロック図である。次に、図２１を参照して、本発明の第８実施形態による太陽光発電システムについて説明する。なお、第８実施形態では、上記第２〜第７実施形態と同様、定格出力１００ｋＷの電力変換装置を用いた場合について説明する。また、各図において、対応する構成要素には同一の符号を付すことにより、重複する説明は省略する。
【０１３７】
この第８実施形態では、図２１に示すように、上記第６実施形態の構成において、電力変換装置１００に、メンテナンス用の接続端子３２０が設けられている。また、第８実施形態では、上記第１〜第７実施形態とは異なり、開閉器３１０が切替スイッチから構成されている。この切替スイッチ３１０は、ＤＣケーブル３０が接続される接続端子１０１の接続先を、電力変換部１１０またはメンテナンス用の接続端子３２０に切り替える機能を有している。このため、切替スイッチ３１０により、太陽電池アレイからの直流電力の供給先が、電力変換部１００またはメンテナンス用の接続端子３２０に切り替えられる。
【０１３８】
具体的には、切替スイッチ３１０が電力変換部１１０と接続されている場合には、太陽電池アレイからの電力が電力変換部１１０に供給され、メンテナンス用の接続端子３２０には供給されない状態となっている。そして、切替スイッチ３１０の接続がメンテナンス用の接続端子３２０に切り替えられると、電力変換部１１０への太陽電池アレイからの出力が遮断され、太陽電池アレイからの直流電力がメンテナンス用の接続端子３２０に供給される。
【０１３９】
したがって、切替スイッチ３１０が電力変換部１１０と接続されている状態で、メンテナンス用の接続端子３２０に代替電力変換装置２００からのＤＣケーブル２３０を接続すれば、メンテナンス用の接続端子３２０には太陽電池アレイからの電力が供給されていないため、安全にＤＣケーブル２３０を接続することができる。そして、ＤＣケーブル２３０の接続後に、切替スイッチ３１０をメンテナンス用の接続端子３２０に切り替えれば、電力変換部１１０への太陽電池アレイからの出力が遮断されるとともに、太陽電池アレイからの直流電力が代替電力変換装置２００に供給される。これにより、電力変換装置１００が担うべき電力変換を、代替電力変換装置２００に担わせることができる。
【０１４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１４１】
たとえば、上記第１〜第８実施形態では、太陽光発電所向けの太陽光発電システムに本発明を適用した例を示したが、本発明はこれに限らず、太陽光発電所以外の産業用の太陽光発電システムおよび家庭用の太陽光発電システムに本発明を適用することもできる。
【０１４２】
また、上記第１〜第８実施形態では、代替電力変換装置を４トントラックに搭載して、メンテナンスを要する電力変換装置の近くまで運搬するように構成した例を示したが、本発明はこれに限らず、代替電力変換装置を搭載する移動手段としては、上記４トントラック以外のトラック車両であってもよい。また、トラック車両以外の移動手段であってもよい。たとえば、荷車などに代替電力変換装置を搭載して、自動二輪車で牽引するような構成であってもよい。
【０１４３】
また、上記第１〜第８実施形態において、システムの安全を考え、システムの中にブレーカが設置されている場合には、予め設置されているブレーカに開閉器の役割を持たせるように、メンテナンス用の接続端子を設けるようにしてもよい。このように構成することにより、追加部材を減らすことができる。
【０１４４】
さらに、上記第１〜第８実施形態において、電力変換装置における電力変換装部の出力側に開閉器（第２開閉器）を設けない構成とすることもできる。
【０１４５】
なお、上記した第１〜第８実施形態の構成を適宜組み合わせることもできる。
【０１４６】
また、上記第１実施形態では、定格出力２５０ｋＷの電力変換装置を太陽光発電システムに用いた例について示したが、本発明はこれに限らず、太陽光発電システムに用いる電力変換装置は、定格出力２５０ｋＷ以外の電力変換装置（たとえば、定格出力１００ｋＷの電力変換装置）であってもよい。
【０１４７】
また、上記第２〜第８実施形態では、定格出力１００ｋＷの電力変換装置を太陽光発電システムに用いた例について説明したが、本発明はこれに限らず、太陽光発電システムに用いる電力変換装置は、定格出力１００ｋＷ以外の電力変換装置（たとえば、定格出力２５０ｋＷの電力変換装置）であってもよい。
【０１４８】
ここで、太陽光発電所においては、太陽電池アレイ（太陽電池モジュール）と電力変換装置との配置方法は、分散方式とセントラル方式とがあるが、いずれも太陽電池アレイの近傍に電力変換装置が設置される。これは、太陽電池モジュールで発生する電力は直流電力であるため、太陽電池アレイと電力変換装置との間の距離が短い方が好ましいからである。一方、電力変換装置の容量を大きくすると、必然的にその外形サイズも大きくなり、電力変換装置の影が太陽電池アレイに影響を及ぼすことになる。このため、電力変換装置の容量は、あまり大きくならず、１００ｋＷ〜１ＭＷ程度とされている。また、一般に電力変換装置に用いる安全部品であるブレーカは２００Ａ〜４００Ａクラスのものが用いられることが多いため、電力変換装置としては、定格出力１００ｋＷおよび２５０ｋＷが産業用として普及している。このため、産業用または太陽光発電所用の電力変換装置としては、定格出力１００ｋＷおよび２５０ｋＷが一般的に用いられているが、これら以外の電力変換装置を用いた場合でも、有効に本発明を適用することができる。この場合、メンテナンスを要する電力変換装置に応じて、代替電力変換装置を適宜選択することができる。
【０１４９】
また、上記第４実施形態では、集電箱と電力変換装置との間および電力変換装置と昇圧トランスとの間のそれぞれに、端子箱を設けた例について示したが、本発明はこれに限らず、集電箱と電力変換装置との間および電力変換装置と昇圧トランスとの間の一方に端子箱を設ける構成としてもよい。
【０１５０】
また、上記第４実施形態では、端子箱に、メンテナンス用の接続端子とともに、開閉器を設けた例について示したが、本発明はこれに限らず、端子箱に、開閉器を設けない構成としてもよい。
【０１５１】
また、上記第５実施形態では、昇圧トランスにメンテナンス用の接続端子を設けた例について示したが、本発明はこれに限らず、昇圧トランスにもともと設けられている接続端子をメンテナンス用の接続端子として兼用してもよい。
【０１５２】
また、上記第５実施形態では、昇圧トランスに、メンテナンス用の接続端子とともに、開閉器を設けた例について示したが、本発明はこれに限らず、昇圧トランスに、開閉器を設けない構成としてもよい。
【０１５３】
また、上記第８実施形態では、切替スイッチからなる開閉器を電力変換装置に設けた例を示したが、本発明はこれに限らず、上記切替スイッチを、電力変換装置以外の箇所に設けても良い。たとえば、上記切替スイッチを、集電箱に設けてもよいし、電力変換装置と集電箱との間に上記端子箱（第１端子箱）が設けられている場合には、この端子箱に設けてもよい。
【０１５４】
なお、上記第８実施形態では、ＡＣケーブルが接続される接続端子（交流出力端子）が、メンテナンス用の接続端子を兼ねる構成としているが、むろん、交流出力端子とメンテナンス用の接続端子とを別々に設けることもできる。この場合、電力変換部と交流出力端子とを切り離し可能な開閉器（第２開閉器）についても、上記と同様の切替スイッチとすることができる。すなわち、電力変換部の入力側の開閉器（第１開閉器）のみならず、電力変換部の出力側の開閉器（第２開閉器）についても、同様の切替スイッチとすることができる。
【符号の説明】
【０１５５】
１０                                  太陽電池アレイ
２０                                  接続箱
３０                                  ＤＣケーブル（第１電気配線、電気配線）
４０                                  ＡＣケーブル（第２電気配線）
５０                                  集電箱
５１                                  接続端子（第１端子）
１００                                電力変換装置
１０１                                接続端子（第１端子）
１０２                                交流出力端子（第２端子）
１１０                                電力変換部
１５０                                昇圧トランス
１６０                                変電所
２００                                代替電力変換装置
２０１                                接続端子
２０２                                交流出力端子
３１０                                開閉器（第１開閉器、切替スイッチ）
３２０                                接続端子（第１接続端子）
３５０                                第１端子箱
４１０                                開閉器（第２開閉器）
４２０                                接続端子（第２接続端子）
４５０                                第２端子箱
７００                                ４トントラック（移動手段）
【図１】
0005453158.tif 000002
【図２】
0005453158.tif 000003
【図３】
0005453158.tif 000004
【図４】
0005453158.tif 000005
【図５】
0005453158.tif 000006
【図６】
0005453158.tif 000007
【図７】
0005453158.tif 000008
【図８】
0005453158.tif 000009
【図９】
0005453158.tif 000010
【図１０】
0005453158.tif 000011
【図１１】
0005453158.tif 000012
【図１２】
0005453158.tif 000013
【図１３】
0005453158.tif 000014
【図１４】
0005453158.tif 000015
【図１５】
0005453158.tif 000016
【図１６】
0005453158.tif 000017
【図１７】
0005453158.tif 000018
【図１８】
0005453158.tif 000019
【図１９】
0005453158.tif 000020
【図２０】
0005453158.tif 000021
【図２１】
0005453158.tif 000022